(57)【要約】  デジタルインタフェースが処置スクリーンおよびスクロールバーを有するメインスクリーンを有する。処置スクリーンは処置入力のリストを含む。スクロールバーには移動検出領域があり、スクロールバーは移動検出領域に沿った動きに応答して処置入力のリスト内のディバイダ（ｄｉｖｉｄｅｒ）までスクロールする。処置スクリーンはディバイダで始まる処置入力のリストを表示する。
2012522585.tif 000002
【特許請求の範囲】
【請求項１】
デジタルインタフェースであって、
処置入力のリストを有する処置スクリーン、および移動検出領域を有するスクロールバーを有するメインスクリーンを含み、
スクロールバーが移動検出領域に沿った動きに応答して処置入力のリスト内のディバイダ（ｄｉｖｉｄｅｒ）までスクロールし、
処置スクリーンがディバイダで始まる処置入力のリストを表示するデジタルインタフェース。
【請求項２】
スクロールバーが、スクロールバーを作動させる、移動検出領域の末端にある方向ボタンを含む、請求項１に記載のデジタルインタフェース。
【請求項３】
ディバイダが英字の文字に対応する、請求項１に記載のデジタルインタフェース。
【請求項４】
処置入力が、処置入力の最初の文字に従ってアルファベット順に配列され、グループ化され、ディバイダにより分離される、請求項３に記載のデジタルインタフェース。
【請求項５】
処置スクリーンが縦一列に処置入力のリストを表示する、請求項１に記載のデジタルインタフェース。
【請求項６】
スクロールバーがタッチスクリーンにより作動させられる、請求項１に記載のデジタルインタフェース。
【請求項７】
スクロールバーが、移動検出領域に沿って移動するスライダを含む、請求項１に記載のデジタルインタフェース。
【請求項８】
スクロールバーの現在位置、現在位置の前の位置、および現在位置の次の位置を表示する３つの文字ウィンドウを含む、請求項１に記載のデジタルインタフェース。
【請求項９】
デジタルインタフェースであって、
処置入力のリストを有する処置スクリーンを有するメインスクリーンと、
複数の連続した入力位置を有する英数字キーパッドとを含み、処置スクリーンが、第１のおよび少なくとも第２の文字英数字入力を第１の連続した入力位置および少なくとも引き続く入力位置の中に入力することに基づき処置のリストのサブセットを表示するデジタルインターフェース。
【請求項１０】
処置スクリーンが、第１の連続した入力位置、引き続く入力位置、および第３の連続した入力位置の中に入力される同じ第１、第２、および第３の文字を有する処置入力のリストのサブセットを表示する、請求項９に記載のデジタルインタフェース。
【請求項１１】
デジタルインタフェースであって、
処置入力のリストを有する処置スクリーン、および英数字文字の連続した行を表示する英数字スクロールバーを有するメインスクリーンと、
複数の連続した英数字入力位置とを含み、英数字文字へのスクロールが英数字文字を入力位置の中に入力し、
処置スクリーンが、第１および少なくとも第２の英数字文字入力を第１の連続した入力位置および少なくとも第２の連続した入力位置の中に入力することに基づき処置のリストのサブセットを表示するデジタルインタフェース。
【請求項１２】
処置スクリーンが、第１の連続した入力位置、第２の連続した入力位置、および第３の連続した入力位置の中に同じ第１、第２、および第３の文字入力を有する処置入力のリストのサブセットを表示する、請求項１１に記載のデジタルインタフェース。
【請求項１３】
スクロールバーの位置を強調するために３つの位置ウィンドウが英数字文字の行の上に並置される、請求項１１に記載のデジタルインタフェース。
【請求項１４】
デジタルインタフェースであって、
英字位置の連続した行として表示される英数字入力のリストを有する処置スクリーン、およびナビゲーション入力を有するメインスクリーンを含み、各英数字入力が処置入力のリスト内部のディバイダに対応し、
処置スクリーンが、ナビゲーション入力により選択される英数字入力に対応するディバイダで始まる処置入力のサブセットを表示するデジタルインタフェース。
【請求項１５】
デジタルインタフェースであって、
処置入力のリストを有する処置スクリーン、および英字位置の連続した行を表示する英数字スクロールバーを有するメインスクリーンと、
スクロールバーの位置を強調するために英字位置の行の上に並置される３つの位置ウィンドウとを含み、スクロールバーが英字位置の連続した行に沿った動きに応答して処置入力のリスト内のディバイダまでスクロールし、
処置スクリーンがディバイダで始まる処置入力のリストを表示するデジタルインタフェース。
【発明の詳細な説明】
【技術分野】
【０００１】
本発明は、デジタルインタフェースのための手段および方法に関する。より詳細には、本発明は、ユーザがアクセスおよび入力の情報をより迅速かつ確実に捜すことができる注入システムおよびポンプを含む医療機器用インタフェースに関する。
【背景技術】
【０００２】
患者の健康の状態をモニタする、薬物、流体、または栄養分を含む処置を施す、あるいは別の様々な診断、リハビリ、または生命維持の役割をする医療機器が、長い間電子的に制御されてきた。病院、外来診療所、または家で遠隔に、あるいは携帯型機器として利用されようとも、大多数の電子的に制御される医療機器には、ユーザまたは医療専門家が様々な方法で機器の動作を制御することができるようにする何らかのタイプのデジタルユーザインタフェースが提供されている。技術が進歩するにつれて、医療分野で使用される電子機器がより多用途になってきているだけでなく、医療電子機器が、記憶されることができる情報の量、およびサポートされることができるプログラミングプラットフォームの数に関してより機能的に高度になってきている。
【発明の概要】
【発明が解決しようとする課題】
【０００３】
また、多用途性および機能性が増すことにより、医療機器のユーザは独特の難題に直面することになった。多くの医療電子機器が、高度なプログラミング、かなりの情報記憶容量、および様々なアプリケーションに対して利用される機能により特徴付けられるので、多くの医療機器により利用されている現在のユーザインタフェースが様々な問題を提起する。しばしば、高度なプログラミング、および多数のアプリケーション間を移行する機能を有する医療機器が、ナビゲートするのが困難で時間のかかる複雑なユーザインタフェースを伴う。さらに、情報記憶容量の増大は、典型的にはできるだけ多くの情報を記憶するために利用されるようになり、その結果、機器をプログラムし動作させようとする人が、所望の項目にアクセスしようとする際、かなりの量の情報に直面する。このことは、様々な薬物を処方するようにプログラムされることができる医療機器では特に問題である。そのような機器はしばしば何百または何千もの薬物、流体、栄養物などの名前を含むことがある薬物ライブラリまたは別のリストを含む。そのようなリストは、ユーザが膨大なリストから特定の薬物を捜し出そうとしているときに、かなりの時間を浪費することになるだけでなく、薬物の綴り間違いおよび誤認の可能性が増すので安全性および信頼性に関する問題を引き起こし得る。
【０００４】
したがって、ユーザがアクセスおよび入力の情報をより迅速に捜すことができる医療機器用プログラミングインタフェースを提供することが本発明の主要な目的である。
【０００５】
本発明の別の目的は、ユーザが項目の端から端まで長いリストを効果的に分類しそのサブセットを表示することができるようにする医療機器用プログラミングインタフェースを提供することである。
【０００６】
本発明のさらに別の目的は、ユーザがアクセスおよび入力の情報をより確実に捜すことができる医療機器用プログラミングインタフェースを提供することである。
【０００７】
本発明の別の目的は、ユーザの誤りの発生率を低減し安全性を高める医療機器用プログラミングインタフェースを提供することである。
【０００８】
本発明のさらに別の目的は、ユーザが薬物のリストからの項目に、より迅速にアクセスし、選択し、注入ポンプの適切なフィールドの中に入力することができるようにするプログラミングインタフェースを提供することである。
【０００９】
本発明のこれらおよび別の目的、特徴または有利な点が、本明細書および特許請求の範囲から明らかになる。
【課題を解決するための手段】
【００１０】
本発明は、処置入力のリストを含む処置スクリーン、およびスクロールバーを有するメインスクリーンを備えるデジタルインタフェースに関する。スクロールバーには移動検出領域があり、スクロールバーは移動検出領域に沿った動きに応答して処置入力のリスト内のディバイダ（ｄｉｖｉｄｅｒ）までスクロールする。処置スクリーンはディバイダで始まる処置入力のリストを表示する。
【００１１】
本発明の別の実施形態では、デジタルインタフェースは英字または英数字のキーパッドを有し、複数の連続した項目位置を表示する。特定の所望の処置入力の位置を捜し出し表示するために、ユーザは少なくとも２つの英字または英数字の文字を少なくとも第１および第２の項目位置に入力し、その後、それらの２つの文字で始まる様々な処置入力が表示される。一実施形態では、対応する処置入力が表示される前に、３つの文字および対応する項目位置が埋められなければならない。
【００１２】
別の実施形態では、上記段落で説明されたキーパッドの代わりにスクロールバーが使われる。
【図面の簡単な説明】
【００１３】
【図１】本発明の一実施形態によるデジタルインタフェースのスクリーンショットである。
【図２】図１の実施形態によるデジタルインタフェースの別のスクリーンショットである。
【図３】図１の実施形態によるデジタルインタフェースの別のスクリーンショットである。
【図４】図１の実施形態によるデジタルインタフェースの別のスクリーンショットである。
【図５】本発明の代替実施形態を示す部分的スクリーンショットである。
【図５Ａ】本発明の別の代替実施形態を示す部分的スクリーンショットである。
【図５Ｂ】本発明の別の代替実施形態を示す部分的スクリーンショットである。
【図５Ｃ】本発明の別の代替実施形態を示す部分的スクリーンショットである。
【発明を実施するための形態】
【００１４】
図を参照すると、医療機器をプログラムし、動作させ、モニタするためのデジタルインタフェース１０が含まれている。当業者により理解されるように、デジタルインタフェース１０は、患者の健康状態を電子的にモニタする、薬物、流体、または栄養分を含む処置を施す、または別の様々な診断、リハビリ、もしくは生命維持の役割をする任意の医療機器を含む多くの異なるタイプの機器で利用されることができる。デジタルインタフェース１０を組み込むどんな電子的医療機器でも、特徴（図に示されていない）、たとえば中央処理装置、ＲＡＭ、マイクロプロセッサ、および当分野で知られている様々な他の電子的機能および計算機能を含むことができることを当業者は理解されよう。デジタルインタフェース１０は、本発明の一実施形態では、１つまたは複数の出力ライン（図示せず）および１つまたは複数の入力ライン（図示せず）を有する医療ポンプまたは注入機器（図示せず）の中に組み込まれる。デジタルインタフェース１０は、本発明の一実施形態ではタッチスクリーンにより作動させられる。しかしながら、デジタルインタフェース１０はマウス、スタイラス、または任意の別の適切な知られている手段により作動させられることを当業者は理解されよう。デジタルインタフェース１０は複数のポンプライン識別子１２を含む。一実施形態では、ポンプライン識別子１２は、ポンプラインにより施されている投薬、薬物、または処置のタイプ、投薬／薬物／治療の濃度、投与レート、および治療に適用される治療プロトコルに関する任意の別の説明情報を含むがそれに限定されない、ポンプラインを説明する情報を提供する。さらに、一実施形態では、各ポンプライン識別子１２は以下に説明されるメインスクリーンインタフェース１４を含み、本明細書で説明される任意の手段によりデジタルインタフェース１０を介して特定のポンプスクリーン識別子１２を選択し、それに対応するメインスクリーンインタフェース１４にアクセスすることにより、ユーザはそれぞれの特定のポンプライン（図示せず）の動作をプログラムすることができる。
【００１５】
デジタルインタフェース１０はまた、一実施形態では、臨床ケアエリア（ＣＣＡ）識別子１６を含む。ＣＣＡ識別子１６は、医療機器が利用されている臨床ケアエリアを識別し、当業者に理解されるように、デジタルインタフェース１０は、どのＣＣＡ識別子１６が選択されるかに応じて異なって動作するようにプログラムされることができる。複数のユーティリティ起動ポイント１８または「ボタン」もデジタルインタフェース１０に含まれる。ユーティリティ起動ポイント１８はモード２０、ツール２２、タスク２４、ロック２６、およびアラーム２８を含むがそれに限定されない。
【００１６】
メインスクリーンインタフェース１４はまた、デジタルインタフェース１０に含まれる。本発明の一実施形態では、メインスクリーンインタフェース１４は処置表示３０、プログラム表示３２、確認表示３４、およびオプション表示３６を含み、これらすべてが、どの個々の表示が起動されるかに応じて異なるメインスクリーンインタフェース１４表示をユーザに提示する。処置表示３０スクリーンは処置入力リスト３８を含む。処置入力リスト３８は、薬物名、投薬、医療目的のために利用される当分野で知られている任意の別の物質、たとえば食塩水、ビタミン、栄養分などを含むがそれに限定されない様々な処置入力４０を含む。処置入力リスト３８に含まれるそれぞれの個々の処置入力４０は、本明細書で開示される任意の手段によりユーザにより選択されることができる。本発明の一実施形態では、処置表示３０スクリーンは、処置入力４０の縦一列として処置入力リスト３８を表示する。しかしながら、別の実施形態では、処置入力４０は、当業者により理解されるように、処置入力リスト３８内部の２つ以上の縦の列、行、ループ、または別の形式で表示される。
【００１７】
処置表示３０は、処置入力リスト３８が読み込まれ表示される方法をカスタマイズするために使用される複数の処置表示プログラミング選択４２を含む。１つの処置表示プログラミング選択４２が、利用できる処置入力４０の完全な集まりを処置入力リスト３８に読み込む「すべて」選択４４である。別の処置表示プログラミング選択４２が、最も頻繁に使用される処置入力４０の集まりを処置入力リスト３８に読み込む「通常」選択４６である。処置表示プログラミング選択４２の機能を実現するために様々なオプションが利用できることを当業者は認識されよう。「最近」選択４８は、最近使用された処置入力４０の集まりを処置入力リスト３８に読み込むさらに別の処置表示プログラミング選択４２である。「指示」処置プログラミング選択５０は、患者の処置指示に対応するこれら処置入力４０だけが処置入力リスト３８に含まれることができるようにする。最後に、プロトコルプログラミング選択５２は、処置入力４０が施されるべきレートおよび容積に加えて、特定の薬物、投薬、または施される処置（処置入力４０）をあらかじめ選択するプログラムを処置ライブラリに読み込み、この場合、各プロトコル５２は、特定の条件、たとえば乳癌の処置に特有である。
【００１８】
本発明の一実施形態では、処置入力リスト３８は、処置入力リスト３８全体が表示されようと、処置表示プログラミング選択４２に従って表示されようと、処置入力４０が処置入力４０の最初の文字に従ってグループ化されるように、英字順に配列され、ソートされる。同じ文字で始まる処置入力４０のグループが処置入力リスト３８内部にグループ化された後、ディバイダ５４が、同じ文字で始まる処置入力４０の各グループと関連付けられる。本発明の一実施形態では、各ディバイダ５４が処置入力リスト３８の中に挿入され、ディバイダ５４が同じ文字で始まる処置入力４０の連続する英字順に配列されたグループを分離し、たとえば、「−−Ｄ−−」と表示されるディバイダ５４は、「Ｃ」で始まる最後の処置入力４０を「Ｄ」で始まる最初の処置入力４０から分離する。
【００１９】
処置表示３０はまた、処置入力リスト３８に隣接するスクロールバー５６を含み、スクロールバー５６の作動は、ユーザが処置入力リスト３８を端から端までナビゲートし、一実施形態では、どの処置入力４０が処置表示３０スクリーン上に表示されるかを選択することができるようにする。スクロールバー５６はユーザによる動きを検出する移動検出領域５８を含み、ユーザ入力がスクロールバー５６の動きに変換される。スクロールバー５６は、スクロールバー５６の作動または動きが処置表示３０を対応する方法で処置入力リスト３８の端から端まで循環させるように処置入力リスト３８に連結され、たとえば、スクロールバー５６が垂直に向けられる場合、移動検出領域５８で検出される上向き方向の動きが処置入力リスト３８を英字の初めに向けて上向きに循環させ、別の実施形態が水平スクロールバー５６を有し、移動検出領域５８で検出される右方向の移動の動きが処置入力リスト３８を英字の終わりに向けて右方向に循環させる。スクロールバー５６の制御は、一実施形態では、タッチスクリーンにより、その場合、移動検出領域５８は、ユーザが移動検出領域５８上に自分の指を触れてドラッグすることによりスクロールバー５６を作動させるように、触知できる空間的接触を検出する。しかしながら、デジタルインタフェース１０はマウス、スタイラス、または任意の別の適切な知られている手段により作動させられることができることを当業者は理解されよう。さらに別の実施形態では、スクロールバー５６は、スクロールバー５６のユーザ作動と一致する方法で移動検出領域５８に沿って移動し、処置入力リスト３８に対するスクロールバー５６の位置を示すスライダ６０を含む。さらに、別の実施形態は、方向ボタン６２を移動検出領域５８の末端に含み、方向ボタン６２は方向ボタン６２の位置に対応する方向にスクロールバー５６を進める。
【００２０】
スクロールバー５６は英字の文字により規定される位置までスクロールし、この場合、英字の各位置が、同じ文字で始まる処置入力４０の各グループとそれ自身関連付けられるディバイダ５４に対応する。この方法では、スクロールバー５６が処置入力リスト３８内のディバイダ５４までスクロールするとき、関連するディバイダ５４で始まり、同じ文字ですべて始まる処置入力４０のサブセットが表示される。
【００２１】
処置表示３０はまた、患者が心肺停止の危険性があるまたは心臓発作を起こしている緊急事態の状況に作動させられることができる緊急事態作動ポイントまたはＳＴＡＴ（緊急）６４を含む。ＳＴＡＴ６４作動ポイントの作動が、ユーザが、救命処置または投薬をより迅速に施すために、処置入力４０を具体的に選択することなしに処置適用のレート８０（以下に説明される）を入力することができるようにする。
【００２２】
図１および図２に最もよく見られるように、メインスクリーンインタフェース１４はまた、処置表示３０で選択される処置入力４０を表示し、かつ処置入力４０（薬物／投薬／ビタミン溶液／生理食塩水点滴／他）が施される処置をユーザがプログラムできるようにする複数の処置適用入力６６を含むプログラム表示３２を含む。処置適用入力６６は、治療６８、レート７０、投与継続時間７２、容積７４、投与の回数７６、投与間隔７８、および開始時間８０を含むがそれに限定されない。本発明の一実施形態では、ユーザが、タッチスクリーンまたは当分野で知られている任意の別の手段により、それぞれの個々の処置適用入力６６に関連するフィールド入力アクセスポイント８２を選択することにより各処置適用入力６６を設定することができる。治療６８フィールド入力アクセスポイント８２を選択することは、ユーザが、治療の連続８４適用、維持８６治療適用、または間欠８８ベースの治療の適用の間で選択することができるようにする。連続８４、維持８６、および間欠８８の治療６８のオプションが、治療６８フィールド入力アクセスポイント８２近くのプログラム表示３２スクリーン上に並置されるポップアップスクリーン内に表示されるタッチスクリーン選択として提示される。治療の適用のレート７０は、関連フィールド入力アクセスポイント８２を選択することにより設定されることができ、一実施形態では、ユーザがミリリットル／時、または当分野で知られているような任意の別の適切なレート単位で処置適用の適切なレート７０を入力できるようにするレート７０フィールド入力アクセスポイント８２を強調するプログラム表示３２スクリーンを重ねて表示するポップアップキーパッドが出現する。投与継続時間７２、容積７４、投与の回数７６、投与間隔７８、および開始時間８０は対応する方法でプログラムされ、各処置適用入力６６に関連するフィールド入力アクセスポイント８２の選択で、ユーザが、投与継続時間７２の時間周期を時間／分で、容積７４をミリリットルまたは別の適切な単位で、投与の回数７６に対して投与の回数を、投与間隔７８入力に対して投与間隔を時間／分で、および開始時間８０を入力できるようにする各フィールド入力アクセスポイント８２近くのプログラム表示３２スクリーン上に並置されるポップアップキーパッドが出現する。当業者により理解されるように、様々な処置プロトコルが、あらゆる処置適用入力６６に対する選択をユーザが入力する必要がないが、別の処置プロトコルが、必要とされる特定の処置に応じて追加の処置適用入力６６を必要とすることがある。
【００２３】
プログラム表示３２は、一実施形態では、ユーザが以前にアクセスしたスクリーンまで戻るため、またはアクセスされて離れてナビゲートされた次のスクリーンまで進むため、または一連のスクリーンがあらかじめ規定されたシーケンスで増分的にナビゲートされるように設計されているときに、ユーザにより選択されることができる複数のユーザナビゲーションポイント９０を含む。ユーザナビゲーションポイント９０の一例が、戻る９２および次へ９４のナビゲーションポイントを含み、タッチスクリーンまたは当分野で知られている任意の別の手段を介して戻る９２ポイントの選択で、ユーザを前のスクリーンに戻し、類似の方法で次へ９４ポイントの選択で、上記で開示されたような次のスクリーンにユーザをナビゲートする。当業者により理解されるように、戻る９２および次へ９４のナビゲーションポイントは、方向ナビゲーションを示す矢印、単語、またはアイコンにより表されることができる。あるいは、複数のナビゲーションポイント９０がメインスクリーンインタフェース１４の各表示スクリーン内に含まれ、ユーザがデジタルインタフェース１０の使用中に任意の時点で前および次のスクリーンにナビゲートすることができるようにする。
【００２４】
図１から図３を見て最もよく理解されるように、メインスクリーンインタフェース１４には、処置表示３０で選択された処置入力４０、プログラム表示３２で設定された処置適用入力６６、オプション表示３６（図４に関して以下で説明される）で設定された処置適用入力６６を表示する確認表示３４スクリーンが含まれ、それぞれの別個の表示スクリーンから選択された項目がグループ分けされ、編集９６作動ポイントを伴う。編集９６作動ポイントの選択は、ユーザが、それぞれの別個の表示スクリーンで最初に選択された項目およびプログラミングオプションを編集することができるようにする。たとえば、処置入力４０、処置適用入力６６、および／またはオプション表示３６で設定された処置適用入力６６に隣接する編集９６作動ポイントを選択することは、ユーザが、それぞれ処置表示３０、プログラム表示３２、またはオプション表示３６まで戻って、任意の前に入力された選択を調節、変更、または更新して、誤りを訂正するまたは状況の変化を考慮することができるようにする。確認表示スクリーン３４（図３）は、上述されたようにユーザにより入力された入力に従って処置を開始するよう医療機器に信号を送る開始１０２、入力されたプログラミング情報を保存している間、機器の始動を一時停止する保持１０４、準備動作を行うよう医療機器に信号を送る準備１０６、およびユーザにより入力されたおよび／または機器により開始された処置プログラムを取り消すプログラム取消１０８入力を含むがそれに限定されない機器動作入力１００へのアクセスをユーザにさらに提供する。
【００２５】
図１および図４を見て最もよく理解されるように、メインスクリーンインタフェース１４はまたオプション表示３６を特徴とする。オプション表示３６は処置表示３０で選択された処置入力４０を表示するだけでなく、追加の処置適用入力６６および機器動作入力１００をユーザに提示する。オプション表示３６で提供される追加の処置適用入力６６は、上述されたようなフィールド入力アクセスポイント８２を利用することによりユーザによりアクセスされ調節される介護者コールバック１１０、過剰充填１１２、およびシリンジ１１４を含む。ＳＴＡＴ６４およびプログラム取消１０８に加えて、オプション表示３６で提供される別の機器動作入力１００が、希釈１１６、洗浄１１８、および確認１２０を含み、タッチスクリーンまたは開示される別の手段による選択で、それぞれ、選択された処置の希釈をトリガする、機器のラインを洗い流す、およびオプション表示スクリーン３６で行われた任意の選択を確認し、ユーザを確認表示３４スクリーンに戻して、望まれる場合、入力されたプログラミング選択を開始する。
【００２６】
動作中、ユーザがタッチスクリーンデジタルインタフェース１０上に表示される特定のポンプライン識別子１２に触れることにより、プログラムされるべき特定のポンプラインに対応するポンプライン識別子１２を選択する。次に、選択されたポンプライン識別子に対応するメインスクリーンインタフェース１４がデジタルインタフェース１０上に出現し、図１の処置表示３０をユーザに提示する。ユーザは処置表示プログラミング選択４２を提示され、上述されたように、ユーザによりアクセスされた特定の処置表示プログラミング選択４２に基づき処置入力リスト３８が処置入力４０を読み込まれる。次に、処置入力４０は、同じ先頭の英字の文字、数字、またはシンボルを共有する処置入力４０が処置入力リスト３８内部で別個のグループに分離されるように、処置入力４０の先頭文字に従って英字順に配列されソートされる。次に、処置入力４０のグループがその次の文字に従ってさらに英字順に配列され、ディバイダ５４が同じ先頭の文字、数字、またはシンボルを共有する処置入力の各グループに関連付けられ、ディバイダ５４が識別する処置入力４０のグループに対応する文字、数字、またはシンボルとしてディバイダ５４が表示される。一実施形態では、各ディバイダ５４が処置入力リスト３８の中に挿入され、ディバイダ５４が同じ文字、数字、またはシンボルで始まる処置入力４０の連続する英字順に配列されたグループを分離するように表示され、処置入力４０のサブセットが表示される。
【００２７】
本発明の一実施形態では、特定の処置入力４０を捜し、アクセスし、入力するように処置入力リスト３８をナビゲートするために、スクロールバー５６が使用される。スクロールバー５６を作動させるために、接触および圧力のセンシング機能を含む、デジタルインタフェース１０上に表示されるスクロールバー５６の移動検出領域５８にユーザが触れ、ユーザが処置入力リスト３８を進めたい方向に移動検出領域５８に沿って自分の指をドラッグまたはスライドさせる。ユーザの指が移動検出領域５８に沿って進むにつれて、スクロールバー５６が（処置入力リストに出現する数字およびシンボルに加えて）英字の文字により規定される位置の間をスクロールする。一実施形態では、スクロールバー５６ナビゲーションの位置を規定する文字、数字、およびシンボルが、対応するディバイダ５４に連結され、処置入力リスト３８はスクロールバーおよびディバイダ５４の英字位置に対応する処置入力４０のグループを表示し、処置入力４０のサブセットが表示される。ユーザが、所望の処置入力４０に対応する該当する英字、数字、またはシンボルの位置までスクロールすると、ユーザは移動検出領域５８に沿った任意の前進を停止し、デジタルインタフェース１０上に表示されるスクロールバー５６から自分の指を解放する。当業者により理解されるように、スクロールバーは、該当する位置に到達すると、スクロールバー５６の移動検出領域５８を軽くたたく、またはそこに圧力を加えることを含むがそれに限定されない知られている任意の手段によりさらに作動させられることができる。この時点で、処置入力リスト３８は、すべての利用できる処置入力４０のサブセットとして所望の文字、数字、シンボルなどで始まる処置入力４０を表示しており、ユーザはスクロールバー５６を再度作動させて、処置入力４０の表示されたグループ内部の特定の所望の処置入力４０を捜し出すことができる。所望の処置入力４０が処置入力リスト３８内部で捜し出されると、ユーザは、タッチスクリーンデジタルインタフェース１０上に表示される特定の入力４０に触れることにより処置入力４０を選択し、入力することができる。
【００２８】
本発明の一実施形態では、スクロールバー５６は、スクロールバー５６の現在位置１２４、スクロールバー５６の現在位置１２４の前の位置１２６、およびスクロールバー５６の現在位置１２４の次の位置１２８を表示する３つの位置ウィンドウ１２２を伴う。一実施形態では、現在位置１２４、前の位置１２６、および次の位置１２８は、それぞれ適切な英字または英数字のディバイダ５４として表わされる。
【００２９】
図５に示される本発明のさらに別の実施形態では、処置入力リスト３８は英字または英数字のキーパッド１３０、および複数の連続した入力位置１３２を伴う。特定の所望の処置入力４０を捜し出すために、ユーザは、第１の連続した入力位置１４０の中に第１の英数字入力１３４を、第２の英数字入力１３６を、および任意選択で第３の連続した入力位置１４４の中に第３の英数字入力１３８を入力しなければならず、その後、任意の処置入力４０が処置入力リスト３８上に表示される。ユーザが第１の英数字入力１３４および第２の英数字入力１３６、または第１の英数字入力１３４、第２の英数字入力１３６、および第３の英数字入力１３８を入力すると、処置入力リスト３８が、連続した入力位置１３２の中にユーザにより入力された同じ第１および第２の文字、または第１、第２、および第３の文字を有するすべての利用できる処置入力４０のサブセットを表示する。処置入力リスト３８により表示される処置入力４０のできあがったサブセットは、本明細書で開示される任意の手段により、たとえばスクロールバー５６を使用することによりアクセスされ、ナビゲートされることができる。図５Ａに示されるさらに別の実施形態では、英数字キーパッド１３０が、英数字スクロールバー１４６および３つの位置ウィンドウ１２２（上述された）で代用され、英数字スクロールバー１４６が、英字の文字により規定される英字および英数字の位置の連続した行として表わされる。ユーザがスクロールバー１４６を作動させると、スクロールバー１４６の英字位置（たとえば文字）を強調するために３つの位置ウィンドウ１２２が英字および英数字の位置の行の上に並置される。英数字スクロールバー１４６の作動は、ユーザが英字の文字により規定される位置までスクロールすることができるようにし、英字位置までスクロールすること、および（スクロールバー１４６を軽くたたくまたはそこに圧力を加えることを含むがそれに限定されない任意の知られている手段により）英数字スクロールバー１４６を作動させることが、複数の連続した英数字入力位置１３２の１つの中に英数字入力１３４、１３６、１３８を入力して、本明細書で説明されたように、連続した入力位置１３２の中にユーザにより入力された同じ第１および第２の文字、または第１、第２、および第３の文字を有する処置入力４０のサブセットを表示する。
【００３０】
図５Ｂに示されるさらに別の実施形態では、処置入力リスト３８は、ユーザが投薬または処置入力４０の名前の最初の文字／数字を選択するための案内と一緒に、英数字入力、たとえば英字文字または数字のリストとして表示される。処置入力リスト３８の下に表示されるのが、処置入力の名前に相当する文字を選択するためにユーザにより作動させられることができるリストナビゲーションポイント１４８である。リストナビゲーションポイント１４８の一例が前へ１５０、次へ１５２、および決定１５４のナビゲーションポイントを含み、前へ１５０および次へ１５２のポイントの作動で、ユーザが選択すべき英字または数字の特定の文字まで移動することができるようにする。たとえば、処置入力リスト３８に表示される英字の文字が、前へ１５０または次へ１５２のポイントがユーザにより押された回数に基づきアクセスされることができる。あるいは、ユーザが前へ１５０または次へ１５２のポイントを押下することにより表示される文字の端から端まで循環することができ、その場合、循環の速度は、ユーザが前へ１５０または次へ１５２のポイントを押下する時間の長さにより決定される。所望の文字が到達されると、決定１５４ポイントが選択され、その時点で、処置入力４０の対応するグループから少なくとも１つの処置入力４０を有する対応するディバイダ５４が処置入力リストにより表示される。この時点で、前へ１５０および次へ１５２のナビゲーションポイントは、ディバイダの上または下に位置する処置入力４０のサブセットの端から端まで循環するために使用され、所望の処置入力４０が捜し出されると、施される処置入力４０を選択するために決定１５４ナビゲーションポイントがアクセスされる。例の実施形態のリストナビゲーションポイント１４８は、本明細書で説明される任意の手段により作動させられることができる、または、代わりに、処置表示３０の処置入力リスト３８に関連する、従来の（たとえばプラスチック、ゴムなどの）ボタンとして提供されることができる。
【００３１】
図５Ｃに示される代替実施形態では、処置入力リスト３８は英字または英数字の位置の連続した列として表わされる英数字スクロールバー１４６が伴い、この場合、各英字および英数字の位置は、対応する英字および英数字の文字で始まる処置入力４０の各グループとそれ自体関連付けられるディバイダ５４に対応する。ユーザがスクロールバー１４６を作動させると、スクロールバー１４６の英字位置（たとえば文字）を強調するために、３つの位置ウィンドウ１２２が英字位置の列の上に並置される。スクロールバー１４６の英字および英数字の位置はそれぞれ、処置入力リスト３８が、処置入力４０のサブセット、およびスクロールバー１４６の英字または英数字の位置と同じ文字に対応するまたはその文字で始まるディバイダ５６を表示するように、処置入力リスト内部の対応するディバイダ５４に連結される。
【００３２】
適切な処置入力４０が選択されると、ユーザはプログラム表示３２スクリーン（図２）に連れて行かれ、ユーザは、選択された処置入力４０が上記で説明される複数の処置適用入力６６にアクセスすることにより患者に施される方法をプログラムするまたはカスタマイズすることができる。ポンプがプログラム表示３２スクリーン内の処置入力４０を施すべき方法をユーザが選択すると、ユーザは確認表示３４スクリーン（図３）に連れて行かれ、ユーザは、処置表示３０スクリーン、プログラム表示３２スクリーン、およびオプション表示３６スクリーンで行われた選択を見直し、（必要な場合）編集する、開始１０２を選択することによりユーザにより行われたプログラミング選択に従って処置入力４０の適用を開始する、プログラム１０８を取り消す、または上述された確認表示３４スクリーン内に提示されるその他の機能の任意にアクセスすることができる。最後に、オプション表示３６スクリーン（図４）で利用できる機能は、プログラミングプロセスの任意の時点でメインスクリーンインタフェース１４内の任意のスクリーンからアクセスされることができる。
【００３３】
本発明は処置入力の英字リストに関して例示されたが、本発明の原理が数字、英数字などを含むがそれに限定されない別のタイプのリストに容易に適用されることができることを当業者は理解されよう。
【００３４】
したがって、前述の目的を最低限満たすデジタルインタフェースが説明された。
【図１】
2012522585.tif 000003
【図２】
2012522585.tif 000004
【図３】
2012522585.tif 000005
【図４】
2012522585.tif 000006
【図５】
2012522585.tif 000007
【図５Ａ】
2012522585.tif 000008
【図５Ｂ】
2012522585.tif 000009
【図５Ｃ】
2012522585.tif 000010
【国際調査報告】
2012522585.tif 000011